(57)【要約】      （修正有）【課題】大きな商品をフィルム間での保持により浮かせた状態で展示することのできる商品保持展示容器を得る。【解決手段】折り曲げ形成される平坦部及び係止手段を設けた段ボール製外側枠体と、外側枠体内に挿入されて係止手段により固定される中央開口部に伸縮自在としたフィルムを貼着した２個の段ボール製内側商品保持体とより構成され、フィルム間に商品を挿入保持してなる展示容器において、外側枠体を展示のための立設手段とし、フィルムを商品が可視できる透明或いは半透明の商品保持手段としてなる商品保持展示容器。【選択図】図１
0003137266.tif 000002
【実用新案登録請求の範囲】
【請求項１】
折り曲げ形成される平坦部及び係止手段を設けた段ボール製外側枠体と、該外側枠体内に挿入されて該係止手段により固定される中央開口部に伸縮自在としたフィルムを貼着した２個の段ボール製内側商品保持体とより構成され、該フィルム間に商品を挿入保持してなる展示容器において、該外側枠体を展示のための立設手段とし、フィルムを商品が可視できる透明或いは半透明の商品保持手段としてなることを特徴とする商品保持展示容器。
【請求項２】
外側枠体は、五角形、六角形或いはそれ以上の多角形状態に折り曲げて形成し、内側商品保持体は、該外側枠体の形状と相似した外形形状としてなることを特徴とする請求項１記載の商品保持展示容器。
【請求項３】
外側枠体は、三角形或いは四角形状に折り曲げて形成し、内側商品保持体は、該外側枠体の形状と相似した外形形状としてなることを特徴とする請求項１記載の商品保持展示容器。
【考案の詳細な説明】
【技術分野】
【０００１】
本考案は、商品の底側や裏側を含め商品全体を可視することができるように棚、机或いはショーケース等の展示箇所に商品を浮かせた状態で展示することができる商品保持展示容器に関する。
【背景技術】
【０００２】
従来より、容器内に設けた２枚のフィルム間に壊れやすい物品を挟み込み、容器の外部からの衝撃が当該物品に直接伝わることがないようにした物品を安全に運搬するための物品移送容器が知られている。
【０００３】
しかし、上記物品移送容器は、壊れやすい物品を外部からの衝撃を緩衝しながら移送することを目的としているものであり、従って、それら容器は、単に矩形の四方が閉鎖された段ボール箱内に物品を保持する２枚のフィルムを設けた物品保持部材の該フィルム間で当該物品を保持するもので、該内側の物品保持部材は、外側の段ボール箱内に押し込められ、当該物品は外側からは可視することができないものであった。
【０００４】
また、下記する文献のように、商品を保持しながら展示する手段として、木枠やプラスチック枠で囲まれた内側のフィルム間に商品を挟み込んで保持する装飾品ホルダーがあるが、大きな商品を対象とする場合は枠を大きくする必要があり、重量がかさみ且つ高価なものとなり、従って、貴金属や小さな記念品等の小立体物にしか対応することができなかった。
【特許文献１】特開２００４−３２２３４０号公報
【考案の開示】
【考案が解決しようとする課題】
【０００５】
本考案は、上記欠点を解決したもので、１枚の段ボールを所定形状に切断して折り曲げ形成した外側枠体と、同様に、１枚の段ボールを所定形状に切断して折り曲げ形成して伸縮自在のフィルムを貼着した内側商品保持体とより構成し、該内側商品保持体は該フィルムが対向するように２個の内側商品保持体を組み合わせて該外側枠体内に配設することにより、軽量な商品保持手段を形成することができ、従って、大きな商品をフィルム間での保持により浮かせた状態で展示することのできる商品保持展示容器を得ることを目的とするものである。
【課題を解決するための手段】
【０００６】
本考案は、折り曲げ形成される平坦部及び係止手段を設けた段ボール製外側枠体と、該外側枠体内に挿入されて該係止手段により固定される中央開口部に伸縮自在としたフィルムを貼着した２個の段ボール製内側商品保持体とより構成され、該フィルム間に商品を挿入保持してなる展示容器において、該外側枠体を展示のための立設手段とし、フィルムを商品が可視できる透明或いは半透明の商品保持手段としてなる商品保持展示容器を特徴とする。
【０００７】
また、外側枠体は、五角形、六角形或いはそれ以上の多角形状態に折り曲げて形成し、内側商品保持体は、該外側枠体の形状と相似した外形形状としてなる商品保持展示容器を特徴とする。
【０００８】
更に、外側枠体は、三角形或いは四角形状に折り曲げて形成し、内側商品保持体は、該外側枠体の形状と相似した外形形状としてなる商品保持展示容器を特徴とする。
【考案の効果】
【０００９】
本考案の商品保持展示容器は、段ボールを所定形状に切断して折り曲げ形成して強度のある商品保持展示容器を構成しているので、大きな商品を保持することができる大きくても軽い展示容器を得ることが可能となった。
【００１０】
また、上記１枚の段ボールを所定形状に切断して折り曲げ形成した外側枠体と、同様に、１枚の段ボールを所定形状に切断して折り曲げ形成した２個の内側商品保持体とを組み立てるだけで展示容器を完成することができ、安価な材料で特別な固定手段を使用することなく、すばやく本考案となる展示容器を完成させることが可能となった。
【００１１】
更に、上記外側枠体はその周辺に平坦部を有するので棚やその他の展示箇所に安定した状態で載置することができ、また、内側商品保持体に設けた伸縮自在の可撓性フィルムを商品の包装手段であり且つ展示のための商品保持手段としての役割を持たせることにより商品の全体をあらゆる角度から可視することができる浮かせた状態で展示することが可能となった。
【考案を実施するための最良の形態】
【００１２】
以下、図面を参考に本考案を実施するための最良の形態についてその実施例を説明する。
【実施例１】
【００１３】
図１は、本考案の商品保持展示容器により商品Ｗを展示している状態を示している。
【００１４】
商品保持展示容器１は、容器の外枠となる外形を形成し、所定箇所への載置のための平坦部を設けた外側枠体２と、該外側枠体２の内側に連結配置され、商品を浮かせた状態で保持するための伸縮自在の可撓性フィルム３を中央開口部に貼着した２個の内側商品保持体４とより構成している。
【００１５】
上記外側枠体２の形状と内側商品保持体４との形状は相似形に形成し、該外側枠体２を組み立て形成した内側面と該内側商品保持体４を組み立て形成した外側面とが接するようにして折り曲げて連結しながら組み立てる構成としている。
【００１６】
図２は、外側枠体２の展開図を示している。該外側枠体２は、幅広の帯状のもので、その表面側には適宜色彩や模様又は絵等或いはそれらの組み合わせからなる装飾手段を印刷等により形成しておくことができる。図２の外側枠体２は、図１に示す本実施例の六角形状の外形を形成するもので、１枚の段ボールを打ち抜き切断することにより帯状の外側枠体２を形成する。
【００１７】
上記外側枠体２となる幅広の帯状体は、左右の両端部５、６間を等間隔で折り曲げ部７〜１１を５箇所形成している。該折り曲げ部７〜１１により一方の端部５と折り曲げ部７、折り曲げ部７と折り曲げ部８、折り曲げ部８と折り曲げ部９、折り曲げ部９と折り曲げ部１０、折り曲げ部１０と折り曲げ部１１及び折り曲げ部１１と他方の端部６との各々の間を同じ幅となる大きさの６箇所の側片部１２〜１７としている。
【００１８】
上記両端部５又は６のいずれかには六角形状の外側枠体２を形成するための端部相互を連結するのり代１８を形成している。
【００１９】
他方、該側片部１２〜１７の各々の上下には該外側枠体２を組み立て形成したときの図１における表面、内側面及び背面を形成するための連結片や折り曲げ片を構成する。側片部１２の上下には折り曲げ部１９、１９´を介して連結片２０、２０´を形成し、該連結片２０、２０´には折り曲げ部２１、２１´を介して連結する折り曲げ片２２、２２´及びその外端部には後述する内側商品保持体４と係止する係止突起２３、２３´が各々形成される。
【００２０】
同様に、隣接する側片部１３もその上下の折り曲げ部２４、２４´を介して連結片２５、２５´を形成し、該連結片２５、２５´には折り曲げ部２６、２６´を介して連結する折り曲げ片２７、２７´及び係止突起２８、２８´が各々形成される。
【００２１】
以下同様に、側片部１４〜１７に、折り曲げ部２９、２９´、３４、３４´、３９、３９´、４４、４４´、連結片３０、３０´、３５、３５´、４０、４０´、４５、４５´、折り曲げ部３１、３１´、３６、３６´、４１、４１´、４６、４６´、折り曲げ片３２、３２´、３７、３７´、４２、４２´、４７、４７´及び係止突起３３、３３´、３８、３８´、４３、４３´、４８、４８´が各々形成される。
【００２２】
図３は、内側商品保持体４の展開図を示している。該内側商品保持体４は、１枚の段ボールを概略正六角形状に打ち抜き切断したもので、同様のものを２個形成することになる。
【００２３】
中央部を中央開口部４９として打ち抜き、周辺部には六角形状の辺に沿ってやや幅を有する基部５０〜５５を形成し、該基部５０〜５５の内側一側縁から折り曲げ部５６〜６１を介して内側折り曲げ片６２〜６７を形成し、他方、基部５０〜５５の外側他側縁から折り曲げ部６８〜７３を介して外側折り曲げ片７４〜７９を形成する。
【００２４】
該内側折り曲げ片６２〜６７は、中央開口部４９側を短辺とし、折り曲げ部５６〜６１側を長辺とし、基部５０〜５５の両端部となる屈折箇所から中央開口部４９方向へ向かって切断形成された側を両側辺とした高さが上記した外側枠体２の幅のほぼ１／２とした二等辺台形として形成される。また、当該基部５０〜５５の屈折箇所は、略菱形形状の打ち抜き孔８０〜８５を形成し、折り曲げのための間隙を形成している。図３のものは、内側折り曲げ片６２〜６７の隅部側を突出湾曲形状の打ち抜き辺として形成している。
【００２５】
上記折り曲げ部５６〜６１には、その略中央部の位置に上記した外側枠体２の係止突起２３、２８、３３、３８、４３、４８が挿入される長孔の係止貫通孔８６〜９１が形成される。該内側折り曲げ片６２〜６７は、図３の背面側方向へ略直角に折り曲げられることになる。
【００２６】
該外側折り曲げ片７４〜７９は、折り曲げ部６８〜７３を一辺とし、対向して平行する同一の長さの辺を他辺とする長辺と、該両辺と直交する左右の短辺とにより矩形形状として形成され、該折り曲げ部６８〜７３から図３の背面方向へ略直角に折り曲げられることになる。上記の通り、内側折り曲げ片６２〜６７側と外側折り曲げ片７４〜７９とは、同一方向へ相互が略平行状態となるように略直角方向に折り曲げられ、内側商品保持体４の立ち上がり部を形成することになる。
【００２７】
上記基部５０〜５５には、該基部５０〜５５に跨るようにして中央開口部４９全面にフィルム３を貼着する。該フィルム３は、透明或いは半透明のもので、対向するフィルム３間に立体的な商品Ｗを保持することができ、且つ該商品Ｗを取り除いたときに元に戻ることができることが可能な伸縮自在とした可撓性を有するものである。
【００２８】
図４は、展開図として示した図３の内側商品保持体４の該内側折り曲げ片６２〜６７及び外側折り曲げ片７４〜７９を各々背面側に折り曲げて立体形状に形成したものである。
【００２９】
図５に示すように、立体形状に組み立てた外側枠体２の内側に、上記立体形状に折り曲げた内側商品保持体４を中央開口部４９を覆うフィルム３側が上面となるようにして挿入配置する。
【００３０】
外側枠体２の下方側に位置する折り曲げ片２２´、２７´、３２´、３７´、４２´、４７´を折り曲げ、該折り曲げ片の先端から突出する係止突起２３´、２８´、３３´、３８´、４３´、４８´を上記内側商品保持体４のフィルム３の裏側に位置している係止貫通孔８６〜９１に挿入係止することにより外側枠体２の内側に配置した該内側商品保持体４を強固に固定することができる。また、折り曲げられた外側折り曲げ片７４〜７９は、元に戻ろうとする力が作用することになるので外側枠体２の内側側面に強く押し付けられ、該内側商品保持体４の固定を一層高めることになる。
【００３１】
図５は、下方側に位置する内側商品保持体４を外側枠体２内に配置した図であり、上記のようにして固定した後、上記フィルム３上に商品Ｗを載置することになる。その後、図６に示すように、上記と同一の大きさとなる他の内側商品保持体４´を、そのフィルム３´側が先に配置した内側商品保持体４のフィルム３と接するような対向位置となるようにして該外側枠体２内へ配設することになる。
【００３２】
上記のように、２個の内側商品保持体４、４´の配設によりフィルム３、３´が対向接することになるが、展示する商品Ｗは当該フィルム３、３´間に該フィルム３、３´に押圧されて移動することがない強固な固定状態で配設されることになる。
【００３３】
上記状態で外側枠体２の上方側に位置する折り曲げ片２２、２７、３２、３７、４２、４７を折り曲げ、該折り曲げ片の先端から突出する係止突起２３、２８、３３、３８、４３、４８を上記内側商品保持体４´の係止貫通孔（不図示）に挿入係止することにより上方側の内側商品保持体４´を外側枠体２に強固に固定することができる。また、折り曲げられた外側折り曲げ片７４〜７９は、元に戻ろうとする力が作用することになるので外側枠体２の内側側面に強く押し付けられ、該内側商品保持体４の固定を一層高めることになる。図６は、該折り曲げ片４７を折り曲げている状態を示している。
【００３４】
上記実施例では、六角形状となる商品保持展示容器で説明しているが、五角形状、七角形状、八角形状或いはそれ以上のものでもよいし、図７、８に示すように、三角形状１ａ或いは四角形状１ｂのものでもよい。
【図面の簡単な説明】
【００３５】
【図１】本考案の商品保持展示容器において商品を保持しながら展示している状態を示す正面図。
【図２】本考案の商品保持展示容器の外側枠体の展開図。
【図３】本考案の商品保持展示容器の内側商品保持体の展開図。
【図４】本考案の商品保持展示容器の内側商品保持体を組み立てた状態を示す斜視図。
【図５】本考案の商品保持展示容器の外側枠体内に下方側の内側商品保持体を挿入した状態を示す斜視図。
【図６】本考案の商品保持展示容器の外側枠体内に上方側の内側商品保持体を挿入した状態を示す斜視図。
【図７】本考案の商品保持展示容器の他の実施例の正面図。
【図８】本考案の商品保持展示容器の他の実施例の正面図。
【符号の説明】
【００３６】
１、１ａ、１ｂ                                      商品保持展示容器
２                                                  外側枠体
３                                                  フィルム
４、４´                                            内側商品保持体
５、６                                              端部
７、８、９、１０、１１                              折り曲げ部
１２、１３、１４、１５、１６、１７                    側片部
１８                                                  のり代
１９、１９´、２４、２４´、２９、２９´、３４、３４´、
３９、３９´、４４、４４´                            折り曲げ部
２０、２０´、２５、２５´、３０、３０´、３５、３５´、
４０、４０´、４５、４５´                            連結片
２１、２１´、２６、２６´、３１、３１´、３６、３６´、
４１、４１´、４６、４６´                            折り曲げ部
２２、２２´、２７、２７´、３２、３２´、３７、３７´、
４２、４２´、４７、４７´                            折り曲げ片
２３、２３´、２８、２８´、３３、３３´、３８、３８´、
４３、４３´、４８、４８´                            係止突起
４９                                                  中央開口部
５０、５１、５２、５３、５４、５５                    基部
５６、５７、５８、５９、６０、６１                    折り曲げ部
６２、６３、６４、６５、６６、６７                    内側折り曲げ片
６８、６９、７０、７１、７２、７３                    折り曲げ部
７４、７５、７６、７７、７８、７９                    外側折り曲げ片
８０、８１、８２、８３、８４、８５                    打ち抜き孔
８６、８７、８８、８９、９０、９１                    係止貫通孔
【図１】
0003137266.tif 000003
【図２】
0003137266.tif 000004
【図３】
0003137266.tif 000005
【図４】
0003137266.tif 000006
【図５】
0003137266.tif 000007
【図６】
0003137266.tif 000008
【図７】
0003137266.tif 000009
【図８】
0003137266.tif 000010